(57)【要約】【課題】頭の重量を支える首の負担を軽減し、漏水が首から垂れ下がるのを防止することができるシャンプー用身体支持体を提供する。【解決手段】シャンプーボウル１１の縁部に着脱自在の装着部１２を備え、人の頭を支えてシャンプーするためのシャンプー用身体支持体１０であって、装着部１２の上部に仰向けの姿勢でシャンプーされる人の首を載置して稜線に凹み１３を備える首載置部１４を有し、装着部１２の側面に連結するアーム１５の先端部に頭を載置して支持できる受け皿１６を備える頭載置部１７を有し、しかも、首載置部１４には凹み１３の両端部で着脱自在に固定でき、シャンプー時の漏水を防止するために人の首と凹み１３に密着できる弓弦部がゴム弾性体１８からなる弓状フレーム１９が防水シート２０で包含されて有する。【選択図】        図１
2004290445.tif 000002
【特許請求の範囲】
【請求項１】
シャンプーボウルの縁部に着脱自在の装着部を備え、人の頭を支えてシャンプーするためのシャンプー用身体支持体であって、
前記装着部の上部に仰向けの姿勢でシャンプーされる人の首を載置して稜線に凹みを備える首載置部を有し、前記装着部の側面に連結するアームの先端部に頭を載置して支持できる受け皿を備える頭載置部を有し、しかも、前記首載置部には前記凹みの両端部で着脱自在に固定でき、シャンプー時の漏水を防止するために人の首と前記凹みに密着できる弓弦部がゴム弾性体からなる弓状フレームが防水シートで包含されて有することを特徴とするシャンプー用身体支持体。
【請求項２】
請求項１記載のシャンプー用身体支持体であって、前記首載置部の前記凹みには、前記弓状フレームの弓部が嵌合して装着できる前記シャンプーボウルの内側方向に沿って段差を有することを特徴とするシャンプー用身体支持体。
【請求項３】
請求項１又は２記載のシャンプー用身体支持体であって、前記頭載置部の前記受け皿には、水の流通を促進させるための複数の貫通孔を有することを特徴とするシャンプー用身体支持体。
【請求項４】
請求項１〜３のいずれか１項記載のシャンプー用身体支持体であって、前記頭載置部の前記受け皿には、人の体格に合わせるための、上下及び前後に調節移動可能で、調整後固定できる構造を有することを特徴とするシャンプー用身体支持体。
【発明の詳細な説明】
【０００１】
【発明が属する技術分野】
本発明は、毛髪をシャンプーする時に使用されるシャンプー用身体支持体に関し、より詳細には、仰向けの姿勢でシャンプーされる人の首と頭を支持するのに用いられるシャンプー用身体支持体に関する。
【０００２】
【従来の技術】
従来から、美容院や理髪店の一部においては、毛髪をシャンプーするのに仰向けの姿勢にした状態で行われることがある。この場合には、シャンプーを受ける人は、シャンプーボールの縁部に首を当接させて身体を支え、頭をシャンプーボール内に投入させた状態でシャンプーを受けている。また、シャンプーボールの縁部に首を当接させる場合には、首と縁部との間に耐水性のクッション材からなるシャンプー用首あてをシャンプーボールの縁部に跨がせて装着し、宛がうこともある。
【０００３】
更に、シャンプー用の身体支持体には、首載置部でシャンプーされる人の身体を支えると同時に、首載置部でシャンプーされる人の首の長さの違いを吸収できる機構を備えるシャンプー用首あてが提案されている（例えば、特許文献１参照）。
【０００４】
【特許文献１】
実開平６−３１６０３号公報（第１−１０頁、第１図）
【０００５】
【発明が解決しようとする課題】
しかしながら、前述したような従来のシャンプー用の身体支持体は、次のような問題がある。
（１）シャンプーを仰向けの姿勢の状態で首に当接する首載置部で支持して行う場合には、頭の重量を首のみで支えるので、首に頭の重量が集中し、首への負担が大きい。後頭部の下から肩までの隘路な首には、頚椎骨と多くの神経、血管、リンパ管、筋組織等が密在しており、４〜７Ｋｇの頭の重量（体重４０〜７０Ｋｇの人の場合）を水平にして首で支持するには、支持部分である首への負担が大きく、頚椎骨と多くの神経、血管、リンパ管、筋組織等の各組織を強く圧迫することとなる。この首への圧迫によって、頚部各疾患、頚肩腕症候群、頭痛等の諸症状を生起させる危険性がある。また、首への負担を軽減するために、首載置部の平面的な広さを拡大したり、首載置部のクッション性を増大する等のさまざまな改良がなされてきたものの、シャンプー中の頭の移動や、個人差による作業時間の長さによって、首への負担が発生している。
（２）頭を首載置部のみで支える場合には、他の身体部分にも不自然な力がかかり、腰等に痛みが発生する場合がある。
（３）シャンプーが終了して頭を持ち上げた時に、首と首載置部間に入り込んで首に付着していた漏水が首から垂れ下がる場合がある。
本発明は、かかる事情に鑑みてなされたものであって、頭の重量を支える首の負担を軽減し、漏水が首から垂れ下がるのを防止することができるシャンプー用身体支持体を提供することを目的とする。
【０００６】
【課題を解決するための手段】
前記目的に沿う本発明に係るシャンプー用身体支持体は、シャンプーボウルの縁部に着脱自在の装着部を備え、人の頭を支えてシャンプーするためのシャンプー用身体支持体であって、装着部の上部に仰向けの姿勢でシャンプーされる人の首を載置して稜線に凹みを備える首載置部を有し、装着部の側面に連結するアームの先端部に頭を載置して支持できる受け皿を備える頭載置部を有し、しかも、首載置部には凹みの両端部で着脱自在に固定でき、シャンプー時の漏水を防止するために人の首と凹みに密着できる弓弦部がゴム弾性体からなる弓状フレームが防水シートで包含されて有する。これにより、頭を頭載置部で支えることができるので、首への圧迫が解消でき、首を安全に保護することができる。また、頭を頭載置部で支えることで、身体をリラックスした状態に保つことができリラックスした状態でシャンプーを受けることができる。更に、人の首と凹みに密着できる弓状フレームのゴム弾性体と防水シートによって漏水を防止することができると共に、シャンプー後に頭を持ち上げる時には、ゴム弾性体が首に追随して持ち上げられ、漏水が首部から垂れ下がるのを防止することができる。
【０００７】
ここで、シャンプー用身体支持体は、首載置部の凹みには、弓状フレームの弓部が嵌合して装着できるシャンプーボウルの内側方向に沿って段差を有するのがよい。これにより、防水シートで覆われた弓状フレームの弓部が首載置部の凹みに嵌合して密着するので、首載置部からの漏水を防止することができる。
【０００８】
また、シャンプー用身体支持体は、頭載置部の受け皿には、水の流通を促進させるための複数の貫通孔を有するのがよい。これにより、頭載置部の受け皿に水が滞留するのを防止することができるので、シャンプー時間を短縮することができる。また、受け皿の下方から水圧を受けてシャンプーする場合においても、水の流通を促進できるので、シャンプー時間を短縮することができる。
【０００９】
更に、シャンプー用身体支持体は、頭載置部の受け皿には、人の体格に合わせるための、上下及び前後に調節移動可能で、調整後固定できる構造を有するのがよい。これにより、人の体格に合わせてシャンプーを行うことができ、シャンプー時の首、及び身体全体の負担を軽減することができる。
【００１０】
【発明の実施の形態】
続いて、添付した図面を参照しつつ、本発明を具体化した実施の形態について説明し、本発明の理解に供する。
ここに、図１は本発明の一実施の形態に係るシャンプー用身体支持体の説明図、図２（Ａ）、（Ｂ）はそれぞれ同シャンプー用身体支持体の首載置部の説明図、Ａ−Ａ’線縦断面図、図３は同シャンプー用身体支持体の頭載置部の説明図である。
【００１１】
図１に示すように、本発明の一実施の形態に係るシャンプー用身体支持体１０は、シャンプーで使用される水を集合させて排水させるための金属や、陶器や、プラスチック等で作製されたシャンプーボウル１１の縁部に、取り付け、取り外しができる着脱自在の装着部１２を有している。この装着部１２は、シャンプーボウル１１の縁部を、例えば、装着部１２にバネ性を持たせることで跨ぐようにして挟み込んで圧接して固定できる鞍状に形成され、シャンプーボウル１１を傷つけないようにするために、装着部１２の内側をシャンプーボウル１１の形状に嵌合できるように加工された樹脂や、金属等で作製されている。
【００１２】
また、シャンプー用身体支持体１０は、装着部１２の上部に、人が仰向けの姿勢でシャンプーできるように人の首の後部を載置して軽く添うように、首の丸みに密着することができ、広い面積で柔らかく触れて、水漏れの防止が出来るように、稜線に凹み１３を備える首載置部１４を有している。
【００１３】
更に、シャンプー用身体支持体１０は、鞍状の装着部１２の一方の側面に垂直に連結して、強度と水切れを考慮した緩やかな曲線を描いて延びるアーム１５の先端部の上部に、人の頭を載置して支持できる平板あるいは緩やかな窪みを有する受け皿１６を備える頭載置部１７を有している。
【００１４】
ここで、図２（Ａ）、（Ｂ）を参照しながら、シャンプー用身体支持体１０の首載置部１４を詳細に説明する。図２（Ａ）、（Ｂ）に示すように、この首載置部１４には、形状が弓状からなり、弓部１９ａの両端部が凹み１３の両端部で着脱自在に固定でき、弓弦部がゴム弾性体１８からなる弓状フレーム１９を有している。そして、この弓状フレーム１９には、ナイロンや、ビニール等からなるシート状の防水シート２０が弓状フレーム１９を包含するように設けられている。ゴム弾性体１８と防水シート２０を有する弓状フレーム１９によって、人の首と、防水シート２０を介してのゴム弾性体１８間、及び、弓状フレーム１９の弓部１９ａと、首載置部１４の凹み１３間でシャンプーをする時の水が漏水しないように人の首と、凹み１３に密着できる。弓状フレーム１９は、防水シート２０で包含された状態で、例えば、首載置部１４の凹み１３の両端部で押えピン２１等を差し込むことで着脱自在に取り付け、取り外しが行えるようになっている。
【００１５】
なお、防水シート２０は、安価なもので作製することで、シャンプーされる人毎に取り替えることができるので、それぞれの人毎に清潔なシャンプーを行うことができる。また、弓状フレーム１９の弓部１９ａの両端部間で固定されているゴム弾性体１８と、弓部１９ａ及び凹み１３の間には、空間ができるので、首を首載置部１４の凹み１３及び弓部１９ａに密着させた時には、ゴム弾性体１８が首に圧接された状態に作用し、首への漏水を防止することができる。そして、シャンプー後に首を持ち上げる時には、凹み１３の両端部の位置までゴム弾性体１８が首に圧接された状態に作用するので、首への漏水を防止することができる。
【００１６】
次いで、シャンプー用身体支持体１０の首載置部１４の凹み１３には、弓状フレーム１９の弓部１９ａが嵌合して装着できるシャンプーボウル１１の内側方向に沿って断面視して階段状の段差２２を有するのがよい。この段差２２の部分には、防水シート２０で包含された弓状フレーム１９の弓部１９ａが嵌合し、防水シート２０が密着して首載置部１４の凹み１３に取り付くので、首載置部１４からの漏水を防止することができる。
【００１７】
また、図１に示すように頭載置部１７の受け皿１６には、受け皿１６と頭との間に水の滞留を防止したり、シャンプー時に受け皿１６の下方から水圧を受けたりした時にのために、水の流通を促進させることができる複数の貫通孔２３を有するのがよい。なお、この受け皿１６の大きさは、特に限定されるものではないが、シャンプー時に後ろ向きに頭を下ろした時に受け皿１６の位置を気にすることなく頭を下ろすことができる頭が外れない程度の寸法、例えば、長径５０〜１００ｍｍ×短径３０〜７０ｍｍ程度の楕円形がよく、小さすぎると誤って受け皿１６以外の所に頭を降ろして首に危害を発生させる危険性があり、大きすぎるとシャンプーがしずらくなってシャンプー作業能率の低下となる。また、この受け皿１６の形状も、特に限定されるものではないが、例えば、襟足部分のシャンプー時に手が入りやすいようにするためにハート状にして襟足部分に当たる部分に逃がしを設けた形状のものであってもよい。更に、受け皿１６の頭が載置される表面も、特に限定されるものではないが、例えば、頭の落下を防止するために、大きすぎてシャンプーがしずらくならない程度の穏やかな窪みを設けたものであってもよい。
【００１８】
更に、頭載置部１７の受け皿１６には、人の体格に合わせるための、上下及び前後に調節移動可能で、調整後固定できる構造を有するのがよい。図３に示すように、例えば、この構造の上下調整移動方式には、貫通孔２３を設けた受け皿１６の下部の中心部に取り付けた高さ調整用ねじ２４を、前後位置調整用ユニット２５に設けたねじ穴２６に差し込み、受け皿１６ごと回転させることで上下に移動させて高さ調整を行い、プランジャー２７で高さ調整用ねじ２４をロックして受け皿１６を固定することができるようにしたものである。また、前後調整移動方式には、アーム１５の先端部に前後位置調整用ユニット２５を位置をずらして差し込むことができる帯状の挿入用孔２８を設けているものである。そして、前後位置調整用ユニット２５に設けた位置決めピン２９は、アーム１５の先端部の挿入用孔２８の長手方向で対向する位置に沿って配列して設けた複数からなる位置決めピン用穴３０に前後の位置を調整して適当な位置で差し込まれ、更に、前後位置調整用ユニット２５の抜け落ち防止のために、抜け止めピン３１で固定させることができるものである。なお、上下及び前後に調節移動して固定する構造には、油圧方式等で調整移動できる構造のものもあり、上記の構造に限定されるものではない。
【００１９】
【発明の効果】
請求項１及びこれに従属する請求項２〜４記載のシャンプー用身体支持体は、シャンプーボウルの縁部に着脱自在の装着部を備えた、頭を支えてシャンプーするためのシャンプー用身体支持体であって、装着部の上部に仰向けの姿勢で首を載置できる稜線に凹みを備える首載置部を有し、装着部の側面に連結するアームの先端部に頭を載置して支持できる受け皿を備える頭載置部を有し、しかも、首載置部には凹みの両端部で着脱自在に固定でき、シャンプー時の漏水を防止するために人の首と凹みに密着できる弓弦部がゴム弾性体からなる弓状フレームが防水シートで包含されて有するので、頭を頭載置部で支えることができて首への圧迫が解消でき、首を安全に保護することができる。また、身体をリラックスさせた状態でシャンプーを受けることができる。更に、人の首と凹みに密着できる弓状フレームのゴム弾性体と防水シートによって漏水を防止することができると共に、シャンプー後に頭を持ち上げる時には、ゴム弾性体が首に追随して持ち上げられ、漏水が首部から垂れ下がるのを防止することができる。
【００２０】
特に、請求項２記載のシャンプー用身体支持体は、首載置部の凹みに弓状フレームの弓部が嵌合して装着できるシャンプーボウルの内側方向に沿って段差を有するので、防水シートで覆われた弓状フレームの弓部が首載置部の凹みに嵌合して密着し、首載置部からの漏水を防止することができる。
【００２１】
また、請求項３記載のシャンプー用身体支持体は、頭載置部の受け皿に水の流通を促進させるための複数の貫通孔を有するので、頭載置部の受け皿に水が滞留するのを防止することができ、また、受け皿の下方から水圧を受けてシャンプーする場合においても、水の流通を促進でき、シャンプー時間を短縮することができる。
【００２２】
更に、請求項４記載のシャンプー用身体支持体は、頭載置部の受け皿に人の体格に合わせるための、上下及び前後に調節移動可能で、調整後固定できる構造を有するので、人の体格に合わせてシャンプーを行うことができ、シャンプー時の首、及び身体全体の負担を軽減してリラックスにシャンプーを受けることができる。
【図面の簡単な説明】
【図１】本発明の一実施の形態に係るシャンプー用身体支持体の説明図である。
【図２】（Ａ）、（Ｂ）はそれぞれ同シャンプー用身体支持体の首載置部の説明図、Ａ−Ａ’線縦断面図である。
【図３】同シャンプー用身体支持体の頭載置部の説明図である。
【符号の説明】
１０：シャンプー用身体支持体、１１：シャンプーボウル、１２：装着部、１３：凹み、１４：首載置部、１５：アーム、１６：受け皿、１７：頭載置部、１８：ゴム弾性体、１９：弓状フレーム、１９ａ：弓部、２０：防水シート、２１：押えピン、２２：段差、２３：貫通孔、２４：高さ調整用ねじ、２５：前後位置調整用ユニット、２６：ねじ穴、２７：プランジャー、２８：挿入用孔、２９：位置決めピン、３０：位置決めピン用穴、３１：抜け止めピン
【図１】
2004290445.tif 000003
【図２】
2004290445.tif 000004
【図３】
2004290445.tif 000005